(57)【要約】【課題】塀や壁や軒先等植木鉢を置くことのできない高所に、植込み材料と肥料入りの小袋が連続した吊り袋を吊りさげることにより、植物を育成し緑化する。【解決手段】表裏がプラスチックシートからなり、周囲をヒートシールしてなる四角形の吊り袋を、縦方向又は横方向のヒートシールにより２以上の小袋に分割し、該分割された各小袋内に、椰子の果肉を押圧、断裁し、脱タンニン処理を施してタンニン含有量を１％以下にし、遅効性肥料を配合した植物の植込み材料を充填した吊り袋であり、各小袋に、裂け目を設けて植物植込み用の孔とし、充分の水に浸漬し、植物の植込み材料を吸水させた後、下端の隅に少なくとも１個の排水孔を設けて排水し、植物植込み用の孔に植物の苗を定植し、吊り袋のヒートシールされた一辺を高所に吊り下げる。【選択図】  図３
2005058091.tif 000002
【特許請求の範囲】
【請求項１】
表裏がプラスチックシートからなり、周囲の４辺又は３辺又は相対する２辺をヒートシールしてなる四角形の吊り袋を、縦方向又は横方向のヒートシールにより２以上の小袋に分割し、該分割された各小袋内に、
椰子の果肉を押圧、断裁し、脱タンニン処理を施してタンニン含有量を１％以下にし、遅効性肥料を配合した植物の植込み材料を充填したことを特徴とする植物育成用吊り袋。
【請求項２】
植物の植込み材料が、椰子の果肉に由来する粉末と繊維と径５ｍｍ以下のチップの配合物を主材とし、これに１〜１０％の植物木質部を蒸し焼きして得られた炭素片を混合し、遅効性肥料を添加した材料であることを特徴とする請求項１記載の植物育成用吊り袋。
【請求項３】
各小袋の表面に、少なくとも１か所の植物の植込み孔を穿設し、或いは植物の植込み孔を穿設すべき少なくとも１か所の部位に印を設けたことを特徴とする請求項１又は２記載の植物育成用吊り袋。
【請求項４】
各小袋の４隅に、水抜き孔を設け、或いは水抜き孔を設けるべき部位に印を設けたことを特徴とする請求項１ないし３のいずれかに記載する植物育成用吊り袋。
【請求項５】
請求項１記載の植物育成用吊り袋の各小袋に、裂け目を設けて植物植込み用の孔とし、充分の水に浸漬し、植物の植込み材料を吸水させた後、下端の隅に少なくとも１個の排水孔を設けて排水し、植物植込み用の孔に植物の苗を定植し、吊り袋のヒートシールされた一辺を高所に吊り下げることを特徴とする植物育成用吊り袋の使用方法。
【発明の詳細な説明】
【技術分野】
【０００１】
本発明は、壁や塀等のやや高い所に、植物を育成させる袋詰めした植物の植込み材料の連結物を吊り下げて、各袋に植物の苗を植込み、壁や塀を緑化する技術に関する。
【背景技術】
【０００２】
本発明者は椰子の果肉を繊維の配列方向と垂直に押圧し、しかる後断裁した椰子の果肉からなる植物の植込み材料を開発した（例えば、特許文献１参照）。更に、椰子の果肉からなる植込み材料はタンニンの含有量が多く、タンニンが植物の苗の発育を阻害することからタンニンを除去した植込み材料を提供した（例えば、特許文献２参照）。椰子の果肉からなる植物の植込み材料は軽く、通気性がよく、保水性、排水性に優れ、好ましい土壌代替物であり、養液栽培の基材としても利用されている。使用後は土壌に混合すれば、土壌の通気性を改良し土壌改良の上でも好ましい素材である。
【特許文献１】特公昭６３−５２８４８号公報
【特許文献２】特公平７−９９９８１号公報
【発明の開示】
【発明が解決しようとする課題】
【０００３】
壁や塀は垂直に立っているため、植木鉢等を置くことができず壁や塀の緑化は蔦を絡ませる程度であった。蔦は花が咲かず、陰気な雰囲気があるため、日のあたる塀等に花を楽しむことはできなかった。
一方、タンニンを除去した椰子の果肉からなる植物の植込み材料は、軽く優れた素材であるため、この素材を用いれば、鉢や容器を用いずに植込み材料を袋詰めして吊り下げることが可能である。
本発明は、簡易に取扱うことができる吊り下げ型の植物の育成方法を開発し、壁や塀等に花を植えて楽しむことができる技術を提供するものである。
【課題を解決するための手段】
【０００４】
本発明の構成は、表裏がプラスチックシートからなり、周囲をヒートシールしてなる四角形の吊り袋を、縦方向又は横方向のヒートシールにより２以上の小袋に分割し、該分割された各小袋内に、椰子の果肉を押圧、断裁し、脱タンニン処理を施してタンニン含有量を１％以下にし、遅効性肥料を配合した植物の植込み材料を充填したことを特徴とし、各小袋に、裂け目を設けて植物植込み用の孔とし、充分の水に浸漬し、植物の植込み材料を吸水させた後、下端の隅に少なくとも１個の排水孔を設けて排水し、植物植込み用の孔に植物の苗を定植し、吊り袋のヒートシールされた一辺を高所に吊り下げることを特徴とする。
【０００５】
すなわち、本発明は椰子の果肉を脱タンニン処理し、押圧し、断裁した植物の植込み材料をプラスチック袋に詰め、両辺をヒートシールした袋を、ヒートシール部分で相互に連結したものである。椰子の果肉は植込み材料として軽量なためプラスチック袋に詰め、複数を連結して懸架しても取扱い易く破れるおそれがない。各小袋には少なくとも１個の植込み孔をあけ、ここに苗を植込み、また各小袋の下の角にプラスチックシートを小さくカットすることにより小孔を設け、水はけ孔とするものである。
【発明の効果】
【０００６】
本発明の複数の小袋がヒートシールにより連結した吊り袋を、コンクリートや板やブロックからなる殺風景な壁に吊り下げることにより、草花を壁面に植えることが可能になり壁や塀を緑化し、草花を楽しむことができる。
【発明を実施するための最良の形態】
【０００７】
本発明の吊り袋の素材はポリエチレン、ポリプロピレン、ポリ塩化ビニル等プラスチックシート素材であれば特に限定はない。水を含んだ植込み材料の重量に耐える厚さがあればよく、暗色に着色したシートが好ましい。
【０００８】
図１は本発明の１実施例の正面図、図２は図１の背面図である。１は吊り袋であり、１枚のシートを２つ折りし、３方をヒートシールする。２はヒートシール部である。更に、吊り袋１を２分割、３分割するなど、２以上の数に等分するように境界部ヒートシール３を行い、図１においては３本の境界部ヒートシール３と４個の小袋４からなる。
図１及び図２の吊り袋１は３辺がヒートシール部２で、他の１辺はシートの折り返し部であるが、表裏異なるシートを使用して４辺をヒートシール部２とすることもできる。場合によってはチューブ状のシート材料を用い、両端をヒートシールしてもよい。
【０００９】
各小袋４には植物の植込み材料が充填されている。本発明の植込み材料は吸水すると約１．５倍に膨張するため膨張分の空間を残して充填する。各小袋４の表面には、植物の植込み孔を示す印を設けることが好ましい。植込み孔の印５は図１のような×印であっても丸印であっても単なる点であっても或いは設けなくとも差支えない。
【００１０】
植込み孔の数は小袋の大きさと植込む植物の種類によって異なるが、少なくとも１個は必要である。植込み孔を１個設けるときは中央部よりやや上部であり、２個以上設けるときは小袋４の長さ方向に並べる。
図２における小袋の４隅の×印は排水孔の印６である。小袋の裏面４隅であれば如何なる印でもよく、また設けなくともよい。小袋４を吊り下げた場合、最も下端に位置する部位は下方の隅であるため、縦方向、横方向等使用の態様に合わせ下端の２隅に小孔を設ければよい。７は懸架用孔であり、ヒートシール部２に穿設する。
【００１１】
本発明の吊り袋１を製造するにあたっては、通常の自動製袋充填機を用い、縦シール、充填、横シール、切断の工程を行うが、切断工程を３回連続して行わず、４回目にのみ行えば４個の小袋からなる吊り袋が得られる。同様に３個の小袋からなる吊り袋は切断工程を２回省略し３回目にのみ行えばい。
【００１２】
本発明の植物の植込み材料は、椰子の果肉を押圧し、断裁し、且つタンニンを除去して乾燥したものである。タンニンの除去方法は特に限定しないが、鉄の塊を入れた水槽に押圧した椰子の果肉を一晩浸漬し、取出して圧搾しまた新しい水槽に浸漬する方法を２回以上繰返すことにより効率的に除去できる。タンニン濃度は乾燥した植込み材料に対し１質量％以下、好ましくは０．８質量％以下、より好ましくは０．６質量％以下である。
【００１３】
植込み材料は、椰子の果肉の押圧されたチップと椰子の繊維と、椰子の果肉から生じた粉末とを含有する。粉末は植込み材料の保水性を維持し、繊維は植込み材料の排水性を維持し、チップは周囲の水分の多寡により吸水膨潤と収縮を繰返し、植込み材料中の通気性を向上させる。根腐れを防止するために、植込み材料には更に１〜１０質量％、好ましくは３〜７質量％の植物の木質部の炭化物を添加することが好ましい。
【００１４】
上記植込み材料には、遅効性肥料を配合する。植物の３栄養源である窒素、リン酸、カリウムを配合し、粒状にして周囲をコーティングした肥料を用いる。コーティングが薄い場合には肥料が早く溶出して肥料焼けを起こす危険があり、コーティングのやや厚めの肥料を使用することが好ましい。
【００１５】
植込む植物の種類は浅根の植物が好ましい。例えば、パンジー、日々草、サクラ草、シクラメン、苺などを挙げることができる。
【００１６】
使用にあたっては、各小袋の植物を植込むべき部位に×印の切れ目を入れる。この切れ目から充分の水を供給して放置し、植込み材料を膨潤させる。膨潤後、使用するとき下になる２方の隅に小孔を穿設し、この小孔から余分の水を排水する。懸架用孔７を用いて図３に示すように縦、横好みの方向に吊り袋１を懸架し、表面の植込み孔に植物の苗を定植する。植物に適した水遣りを行うのみで壁や塀を緑化することができる。
【００１７】
花が終わった後は植込み材料を土壌に混ぜれば、土壌の通気性、排水性等を改良できる長所があり、袋素材のシートはそのまま廃棄することができる。
本発明の吊り袋は広幅の境界部のヒートシール３を介して連結しているため、任意の境界部のヒートシール３を切断することによって、任意の長さ或いは任意の幅の吊り袋にすることができる。小袋４単独でも吊り下げることができ、また、地面や床に置いて使用することもできる。
【実施例１】
【００１８】
４辺に１５ｍｍの融着部を有する縦１８ｃｍ、横３８ｃｍの小袋４個を、横の辺で連結した吊り袋１を製造した。背面には黒色の、正面には暗褐色の厚さ５０μｍのポリプロピレンを用いた。各小袋の内部には椰子の果肉からタンニンを除去し、押圧し乾燥した長辺の長さ５ｍｍのチップと繊維と粉末からなり、５質量％の椰子殻炭を混合し更にコーティング肥料１０ｇを配合した植込み材料３００ｇを充填した。４連の小袋から端部の１袋を切取り、３連の吊り袋とした。
【００１９】
各小袋の暗褐色の面の中央部に約３ｃｍ長さの切り込み２本を交叉させて入れ、水槽に入れて充分に吸水させた。吸水後、各小袋の黒色の面の下隅２か所に小孔を設け、余分の水を排除した。この吊り袋１を図３に示すように、門柱脇の塀９に懸架用孔７に釘を通して吊り下げた。植込み用孔５にパンジーの苗を定植し、４〜５日に１回給水した。図５に示すように、門柱８脇の塀９はパンジーで飾られた。
切り離した１個の小袋は玄関脇に置き、吊り下げることなくパンジーを植えて育てることができた。
【実施例２】
【００２０】
小袋の短辺を連結した以外は実施例１と同様にして吊り袋１を製造した。この吊り袋１に２箇所に植込み孔を設けた以外は実施例１と同様にして苺の苗を植えて図５に示すように塀に横長に懸架した。本実施例も水遣りを続けるだけで、赤い苺を塀の上部に連続して実らすことができた。
【図面の簡単な説明】
【００２１】
【図１】本発明の１実施例の正面図である。
【図２】図１の背面図である。
【図３】本発明品を塀に懸架した場合の説明図である。
【符号の説明】
【００２２】
１  吊り袋
２  ヒートシール部
３  境界部ヒートシール
４  小袋
５  植込み孔の印
６  排水孔の印
７  懸架用孔
８  門柱
９  塀
【図１】
2005058091.tif 000003
【図２】
2005058091.tif 000004
【図３】
2005058091.tif 000005